(57)【要約】  本発明は、廃水中の汚染物質の存在および量を正確に検出する方法、組成物、および装置を対象とする。本方法は、ある量の廃水に少なくとも１つのトレーサー分子を添加するステップと、特定の汚染物質の表示についてトレーサーを観察するステップと、少なくとも第２の形態の汚染検出を行うステップと、汚染の特定の組成物を識別するために２つの測定された特性を相互に関係づけるステップと、を含む。トレーサー分子の使用により、そうでなければ検出が困難である油およびグリースの検出を可能にする。しかし、第２の方法の使用は、汚染物質に干渉するトレーサーを相殺し、より正確な読み取りを可能にする。本発明は、検出に応じて機能性化学物質を供給すること、ならびに検出をオンラインで連続的に行うことを含む。【選択図】なし【特許請求の範囲】
【請求項１】
少なくとも１つの液体中の特定の汚染物質の存在および量を正確に検出する方法であって、
ある量の液体を提供するステップと、
前記量の液体中の濁度の量を測定することができる汚染検出方法を行い、そこから前記液体内で濁度の原因となる汚染物質の量を推測するステップと、
一連の既定の補正率のうちのどれが、特定のトレーサーが前記油の存在下にあるとき、前記測定された量の濁度が前記特定のトレーサーからの光を散乱させ、それによって、前記特定の液体内で生じる蛍光の変化の量が変化する程度に対応するかを識別することによって、補正率を選択するステップと、
前記特定のトレーサーを前記液体に導入するステップと、
前記特定のトレーサーを前記液体に導入することによって放射された前記蛍光の変化を測定するステップと、
前記選択された補正率に従って前記測定された変化を調整することによって、前記測定された蛍光の変化を補正するステップと、
前記補正された測定された蛍光の変化から、前記液体内の油の量を算出するステップと、及び
前記算出された濁度の原因となる汚染物質の量から前記算出された油の量を減じることによって、前記液体内の油以外の汚染物質の量を算出するステップと、
を含む、前記方法。
【請求項２】
前記トレーサーが極性感受性であり、水中かつ油の存在下にあるときには検出可能な特性を提示するが、前記油が不在の水中にあるときには提示しない、請求項１に記載の方法。
【請求項３】
前記トレーサーの蛍光が、油の存在下にあるときに消光される、請求項１に記載の方法。
【請求項４】
前記トレーサーの蛍光が、前記油の存在下にあるときに増強される、請求項１に記載の方法。
【請求項５】
非極性汚染物質を除去する化学物質の添加前および添加後の両方で、前記トレーサーを測定し、測定値における差異を使用して、前記液体中の非極性汚染物質の量を決定するステップをさらに含む、請求項１に記載の方法。
【請求項６】
前記液体が、廃水除濁装置の流出液または流入液である、請求項１に記載の方法。
【請求項７】
前記液体中に光を放射し、それによって前記トレーサーの特性の前記検出を促進する、光学発光源を使用することさらに含む、請求項１に記載の方法。
【請求項８】
前記検出可能な特性が、波長、発光強度、放射された光またはエネルギーの吸光度、およびそれらの任意の組み合わせから成る一覧から選択される特定の設定で検出するように構成され、配置された装置によって検出される、請求項１に記載の方法。
【請求項９】
前記液体が、水、アルコール、およびそれらの任意の組み合わせから成る一覧から選択される、請求項１に記載の方法。
【請求項１０】
前記油以外の濁度が、固体微粒子として識別される、請求項１に記載の方法。
【請求項１１】
前記検出された汚染物質に応じて、機能性化学物質を前記液体に添加するステップをさらに含み、前記機能性化学物質が、前記検出された特定の汚染物質の存在を修正することに特に適しているものである、請求項１に記載の方法。
【請求項１２】
前記機能性化学物質が、殺生物剤、分散剤、凝集剤、界面活性剤、乳化剤、抗乳化剤、無機物、酸、塩基、腐食防止剤、水、および溶媒から成る一覧から選択される、請求項１１に記載の方法。
【請求項１３】
前記液体が、処理流から迂回されたサンプルであり、前記検出が、前記サンプルに実施される、請求項１に記載の方法。
【請求項１４】
前記検出が、連続的に実施され、前記トレーサーの検出が、センサを過ぎる液体の特定の流れに対して最適化される、請求項１に記載の方法。
【請求項１５】
前記検出と情報を連絡する制御装置をさらに備え、前記制御装置が、前記検出からのデータを受信し、前記液体中に少なくとも１つの機能性化学物質を適切に放出する、請求項１１に記載の方法。
【請求項１６】
前記濁度の原因となる前記物質が、それ自体の蛍光を放射し、前記補正率が、前記濁度が放射した蛍光を考慮する、請求項１に記載の方法。
【発明の詳細な説明】
【背景技術】
【０００１】
関連出願の相互参照
該当せず。
連邦政府による資金提供を受けた研究開発の記載
該当せず。
本発明は、概して、廃水処理において有用である主題の方法、ならびに装置および組成物に関する。様々な産業処理は、グリースおよび油といった廃水中に溜まる多数の汚染形態をもたらす。この汚染は、廃水を処分できる方法を複雑にするため、問題である。汚染油およびグリースを処分するための様々な技術が利用可能であるが、それらはどのような種類の、およびどれくらいの量の種々の汚染物質が、ある量の廃水内に存在するかを認識することに依存している。
【０００２】
廃水の汚染物質含有量を決定するための様々な先行技術の方法が存在する。これらの方法は、重量分析、直接測定（ＵＳ  ＥＰＡ  Ｍｅｔｈｏｄ  １６６４といったもの）、比色法、ＵＶ法、蛍光分析法、ＩＲ吸収、およびガスクロマトグラフィーを含む。これらの方法の多くは、国際特許出願公開第２０１０／００７３９０Ａ２号において、オンラインおよびオフラインの形態の両方で説明される。
【０００３】
これらの方法について、特に興味深いアプローチは、極性感受性の蛍光色素の使用である。これらの色素は、特定の油が存在するときにそれらが検出可能に蛍光を発し、しかしそれらの色素が不在のときには蛍光を発しないというように相互に作用する。しかし、この方法は、バックグラウンド干渉および複数の油のタイプの相互作用が、混乱させるような信憑性のない蛍光示度をもたらすため、検出の難しさに悩まされている。
【０００４】
したがって、廃水中の油およびグリースの存在をより良く検出する方法および装置を提供することが、有用であり望ましい。本項に説明される技術は、具体的にそのようなものとして示されない限り、本明細書において参照されるいずれの特許、公開物、または他の情報も、本発明に関して「先行技術」であるということを承認することを意図しない。加えて、本項は、研究が行われているということ、または３７ＣＦＲ１．５６（ａ）に定義されるような他の関連情報が存在しないということを意味すると解釈されるべきではない。
【発明の概要】
【０００５】
本発明の少なくとも１つの実施形態は、少なくとも１つの液体中の特定の汚染物質の存在および量を正確に検出する方法であって、１）ある量の液体を提供するステップと、２）該量の液体中の濁度の量を測定することができる汚染検出方法を行い、そこから該液体内で濁度の原因となる汚染物質の量を推測するステップと、３）一連の既定の補正率のうちのどれが、特定のトレーサーが油の存在下にあるとき、測定された量の濁度が該特定のトレーサーからの光を散乱させ、それによって該特定の液体内で生じる蛍光の変化量が変化する程度に対応するかを識別することによって、補正率を選択するステップと、４）該特定のトレーサーを該液体に導入するステップと、５）該特定のトレーサーを該液体に導入することによって放射された該蛍光の変化を測定するステップと、６）該選択された補正率に従って該測定された変化を調整することによって、該測定された蛍光の変化を補正するステップと、７）該補正された測定された蛍光の変化から、該液体内の油の量を算出するステップと、及び、８）該算出された濁度の原因となる汚染物質の量から該算出された油の量を減じることによって、該液体内の油以外の汚染物質の量を算出するステップと、を含む、前記方法を対象とする。
【０００６】
トレーサーは、極性感受性であってもよく、水中かつ油の存在下にあるときには検出可能な特性を提示するが、油が不在の水中にあるときには提示しない。トレーサーの蛍光は、油の存在下にあるときに消光され、あるいは油の存在下にあるときに増強されてもよい。方法は、非極性汚染物質を除去する化学物質の添加前および添加後の両方で、トレーサーを測定し、測定値における差異を使用して、液体中の非極性汚染物質の量を決定するステップをさらに含むことができる。液体は、選択された廃水除濁装置の流出液または流入液、水、アルコール、およびそれらの任意の組み合わせから成る一覧から選択され得る。方法は、液体中に光を放射し、それによってトレーサーの特性の検出を促進する光学発光源を使用することをさらに含むことができる。検出可能な特性は、波長、発光強度、放射された光またはエネルギーの吸光度、およびそれらの任意の組み合わせから成る一覧から選択される特定の設定で検出され得るように構成され、配置された装置によって検出される。油以外の濁度は、固体微粒子として識別されることもある。方法は、検出された汚染物質に応じて、機能性化学物質を液体に添加するステップをさらに含んでもよく、該機能性化学物質は、検出された特定の汚染物質の存在を修正することに特に適しているものの１つである。機能性化学物質は、殺生物剤、分散剤、凝集剤、界面活性剤、乳化剤、抗乳化剤、無機物、酸、塩基、腐食防止剤、水、および溶媒から成る一覧から選択されることができる。液体は、処理流から迂回されたサンプルであってもよく、検出はサンプルに実施される。検出は、連続的に実施されてもよく、トレーサーの検出は、センサを過ぎる液体の特定の流れに対して最適化される。方法は、検出と情報を連絡する制御装置を使用することをさらに含んでもよく、制御装置は、検出からのデータを受信し、液体中に少なくとも１つの機能性化学物質を適切に放出する。濁度の原因となる物質が、それ自体の蛍光を放射することができ、補正率は、濁度が放射した蛍光を考慮する。
【０００７】
追加の特徴および利益が本明細書で説明され、以下の発明を実施するための形態から明らかになるであろう。
【発明を実施するための形態】
【０００８】
以下の定義が、本出願で使用される用語、および特に特許請求の範囲が、どのように解釈されるべきかを判断するために提供される。定義の組織化は、利便性のみのためのものであり、定義のいずれをもいかなる特定の範疇に制限することを意図されない。
「バルクサンプル」は、バルクサンプルが大きさに基づく分離を含み得ることを除き、特異的に分離されない成分を有するサンプルを意味する。
「油」は、水よりも高い粘度を有する任意の液体を意味し、炭化水素液およびグリースが挙げられるが、これらに限定されない。
「極性感受性」は、その取り囲んでいる極性および／または疎水性物質の存在に応じてシフトする吸光度および／または蛍光発光波長を有する主題の組成物（色素を含むが、これに限定されない）を意味する。
「溶媒和クロマチック」は、その取り囲んでいる極性に応じてシフトする吸光度および／または蛍光発光波長を有する組成物（色素を含むが、これに限定されない）を意味する。
「トレーサー」は、それが光の蛍光を発する程度にまで変化することによって、別の液体内の油の存在に反応する主題の組成物を意味し、変化は蛍光の増大、低下、開始、および／または終了であり得る。
「濁度」は、液体内の透明性を減少する物質の存在によって、液体の透明性が低下する程度を意味し、かかる物質には、油、固体微粒子物質、溶存物質、分散物質、およびそれらの任意の組み合わせが挙げられるが、これらに限定されず、濁度の変化は、粘度または液体の他の特性の変化を伴うことがあり、あるいは伴わないことがある。
「廃水処理」は、流入下水が処置され、排水として放出される任意の処理を意味する。
【０００９】
上記の定義、または本出願の他の場所で記載される説明が、一般的に使用される意味、辞書における意味、または本出願に参照することによって組み込まれる出典に記載される意味（明示的もしくは暗示的）と矛盾する場合、本出願、および特に請求項の用語は、一般的な定義、辞書定義、または参照することによって組み込まれた定義に従うのではなく、本出願における定義もしくは説明に従って解釈されると理解される。以上の観点から、ある用語が、それが辞書によって解釈される場合にのみ理解することができる場合、その用語がＫｉｒｋ−Ｏｔｈｍｅｒ  Ｅｎｃｙｃｌｏｐｅｄｉａ  ｏｆ  Ｃｈｅｍｉｃａｌ  Ｔｅｃｈｎｏｌｏｇｙ、第５版（２００５年）（Ｗｉｌｅｙ，Ｊｏｈｎ  ＆  Ｓｏｎｓ，Ｉｎｃ．より出版）によって定義される場合は、この定義が、どのようにその用語が請求項において定義されるべきかを左右するものとする。
【００１０】
本発明は、概して、１つ以上のセンサを使用して、廃水取扱い処理への機能性化学物質の供給を制御する方法および装置に関する。少なくとも１つの実施形態において、２つ以上の廃水量の特性が検出され、検出された特性に応じて、１つ以上の機能性化学物質が廃水に添加される。特性には、濁度、懸濁物質、溶媒抽出、流動電位、ＴＯＣ（全有機体炭素）、ＢＯＤ（生物学的酸素要求量）、ＯＲＰ（酸化還元電位）、ｐＨ、温度、液体流量、質量流量、様々な光スペクトルの吸光度、および蛍光のうちの１つ、いくつかの、またはすべての任意の組み合わせが挙げられるが、これらに限定されない。機能性化学物質には、殺生物剤、分散剤、凝集剤、界面活性剤、乳化剤、抗乳化剤、酸、塩基、腐食防止剤、水、および溶媒が挙げられるが、これらに限定されない。
【００１１】
２つ以上のパラメータを見ることによって、先行技術の方法の多くが直面した本題を克服する。単一の測定は、廃水中の汚染物質のすべての種類を把握することができないため、ただ１つの検出方法を使用する先行技術の方法は、不完全な結果を提供する可能性がある。例えば、ＴＳＳは、一般的に、廃水中の固体汚染のレベルを把握するために使用される。しかし、ＴＳＳは、グリースおよび油を把握しない。少なくとも１つの実施形態において、ＴＳＳ測定だけでなく、油およびグリースを把握するための溶媒抽出処理が同様に行われる。
【００１２】
少なくとも１つの実施形態において、水中にトレーサー分子を置くことによりパラメータのうちの少なくとも１つを検出する。トレーサー分子は、ある量の水に特定の汚染物質が存在するとき、検出可能に変化する分子である。少なくとも１つの実施形態において、分子は、溶媒和クロマチックトレーサーである。少なくとも１つの実施形態において、トレーサーの検出可能な変化は、蛍光分光法および吸光分光法のうちの少なくとも１つを使用して検出可能である。少なくとも１つの実施形態において、トレーサーは、米国公開特許出願第２００９／０２６０７６７号および／または米国特許出願第１２／４０５７９７号において説明される種類のうちの１つであり、ならびにその中で説明される方法において使用される。
【００１３】
少なくとも１つの実施形態において、少なくとも１つの液体中の特定の汚染物質の存在および量を正確に検出する方法は、
ある量の液体を提供するステップと、
該量の液体中の濁度の量を測定することができる汚染検出方法を行うステップと、
一連の既定の補正率のうちのどれが、特定のトレーサーが油の存在下にあるとき、測定された量の濁度が該トレーサーからの光を散乱させ、それによって該特定の液体内で生じる蛍光の変化量が変化する程度に対応するかを識別することによって、補正率を選択するステップと、
該トレーサー分子を該液体に導入するステップと、
第１のトレーサー分子を該液体に導入することによって放射された該蛍光の変化を測定するステップと、
該選択された補正率に従って該測定された変化を調整することによって、該測定された蛍光の変化を補正するステップと、
該補正された測定された蛍光の変化から、該液体内の油の量を算出するステップと、及び
該算出された濁度の量から該算出された油の量を減じることによって、該液体内の油以外の汚染物質の量を算出するステップと、を含む。
【００１４】
この方法は、どれだけの濁度が油によって起こるか、およびどれだけ分散された微粒子物質があったかの決定を可能にする。それは、トレーサー分子の効果に干渉し、それにより、誤った蛍光示度を提供する濁度からもたらされる先の問題を克服する。
【００１５】
少なくとも１つの実施形態において、１つを超えるトレーサーを使用する。これは、単一のトレーサーがすべての種類の汚染物質の存在下において正確ではない状況に対処する。少なくとも１つの実施形態において、トレーサーは、極性感受性である。
【００１６】
少なくとも１つの実施形態において、センサの組み合わせが、機能性化学物質に対する要求を判断するために、および／または該化学物質の用量を制御するために使用される。少なくとも１つの実施形態において、トレーサー分子が、処理流における疎水性汚染物質のレベルを決定するために使用される。疎水性物質の排出は、規制の観点からだけでなく、好気性の流域における生物活性に悪影響を与える可能性があることから、重要である。したがって、溶媒和クロマチックトレーサーの使用は、工程用水を洗浄するために添加される機能性化学物質の添加量を制御するシステムにおいて使用されるべき、処理流における疎水性汚染のレベルを決定する手段として、通常の測定に追加して使用される。少なくとも１つの実施形態において、トレーサー分子は、蛍光分光法、吸光分光法、またはその２つの測定の組み合わせの使用を必要とすることがある。疎水性汚染の測定はまた、単一よりも多いトレーサー色素の使用を伴って、より正確であることを証明することができる。廃水は、蛍光発光の測定、またはトレーサーの吸収ピークとのオーバーラップのいずれかに干渉し得る物質を含有することがある。したがって、１つを超えるタイプのトレーサー色素の使用は、処理流における疎水性汚染のレベルの決定において、特に、測定の手段が異なる（蛍光対吸光度）場合に、より有利である。
【００１７】
少なくとも１つの実施形態において、溶媒和クロマチックトレーサーを使用して蛍光発光を適切に測定するために、蛍光光度計を特定の波長、励起、およびゲイン設定にカスタマイズする。少なくとも１つの実施形態において、測定される水サンプルはオンラインあり、蛍光光度計は、特定の流速およびトレーサー添加量率にカスタマイズされる。極性感受性の色素の最大強度は、特定の汚染物質がどのくらい疎水性であるかに関係するため、少なくとも１つの実施形態において、蛍光光度計を、蛍光強度の変化および発光波長の変化を測定するように構成し、配置する。少なくとも１つの実施形態において、蛍光光度計を、色素を取り囲む媒体に対する補償のこれらの検出の変化を相殺するように構成し、配置する。
【００１８】
少なくとも１つの実施形態において、トレーサーは、検出処理を完了する前に汚染物質と相互に作用する十分な時間で、提供される。
【００１９】
少なくとも１つの実施形態において、トレーサーを水サンプルに添加した後、既知の非極性汚染物質の存在を低下する、少なくとも１つの機能性化学物質をサンプルに添加する。トレーサーの検出はしばしば、非極性汚染物質の存在を減少することによって増大され、それは、さもなければ、トレーサーに干渉することがある。
【００２０】
少なくとも１つの実施形態において、サンプル内の非極性汚染物質の分量を決定するために、トレーサーの検出可能な特性が、サンプルに既知の非極性汚染物質の存在を低下させる機能性化学物質が添加される前および後の両方で観察される。
【００２１】
少なくとも１つの実施形態において、分析されるべきサンプルは、廃水除濁装置の流出液および／または流入液である。（ＤＡＦ、曝気槽、膜もまた添加する）
【００２２】
少なくとも１つの実施形態において、水量への導入の前に、トレーサーを溶媒と混合する。
【００２３】
トレーサー検出は、既定の予定に従って、間欠的に、または連続的に実施され得る。少なくとも１つの実施形態において、廃水量を携帯型分析器によって分析する。少なくとも１つの実施形態において、トレーサーを廃水含有タンクまたは管に直接添加する。少なくとも１つの実施形態において、分析量は、処理流から迂回されたサンプルである。少なくとも１つの実施形態において、検出結果は、検出結果に応じて、ならびに検出結果を修正するために、機能性化学物質を廃水処理流に適切に添加する制御装置に供給される。少なくとも１つの実施形態において、この制御および検出装置は、閉制御ループを形成する。
【００２４】
少なくとも１つの実施形態において、溶媒和クロマチックトレーサーを使用して蛍光発光を適切に測定するために、蛍光光度計を、適切な励起および発光波長、ゲイン設定に対して、ならびにオンライン測定の場合は、蛍光光度計を通るサンプルの適切な流速および溶媒和クロマチックトレーサーの添加量に対して、カスタマイズする。溶媒和クロマチック色素の性質によって、最大強度のマットを有する発光波長は、サンプルの疎水性の程度に左右されることが予想される。したがって、蛍光光度計は、色素を取り囲む媒体に応じて変動する蛍光強度および変化する発光＊最大の両方を測定するように設定されなければならない。
【００２５】
前述の信号の組み合わせからの出力を使用することによって、本発明はまた、廃水処理において１つ以上の汚染物質の量を低下する１つ以上の化学物質の有効性を測定するための方法を提供する：（ａ）廃水処理において１つ以上の汚染物質のタイプを監視することであって、該廃水処理から流体のバルクサンプルを取得することと、該流体中の該汚染物質と相互に作用し、該流体中に光信号を提供することが可能である溶媒和クロマチック色素を選択することと、該色素を該流体に添加し、該色素が該流体中の該汚染物質と相互に作用するために十分な時間を充てることと、該流体中の色素の蛍光、吸光度またはスペクトルシフトを測定することと、色素の応答を該汚染物質の濃度と相互に関連付けることと、を含む、監視すること、（ｂ）該廃水処理において該非極性汚染物質の量を低下する１つ以上の化学物質を該廃水処理に添加すること、（ｃ）少なくともさらに１回以上ステップ（ａ）を実行することによって、該廃水処理における汚染物質の量を再度測定すること、ならびに（ｄ）任意に、該廃水処理に添加される該化学物質の量を制御すること。
【００２６】
少なくとも１つの実施形態において、処理は、濁度、懸濁物質、溶媒抽出、流動電位、ＴＯＣ、ＢＯＤ、ＯＲＰ、ｐＨ、温度、または吸光度といった他の前述の信号を使用して、廃水処理において１つ以上の汚染物質の量を低下する１つ以上の化学物質の有効性を測定するために適用される。
【００２７】
少なくとも１つの実施形態において、方法は、廃水処理において１つ以上の非極性物質のタイプを監視することであって、（ａ）該廃水処理から流体のサンプルを取得すること、（ｂ）該流体中の該非極性物質と相互に作用し、該流体中に光信号を提供することが可能である溶媒和クロマチック色素を選択すること、（ｃ）該色素を該流体に添加し、該色素が該流体中の該非極性物質と相互に作用するために十分な時間を充てること、（ｄ）該流体中の色素の蛍光、吸光度またはスペクトルシフトを測定すること、（ｅ）色素の光応答を該汚染物質の濃度と相互に関連付けること、ならびに（ｆ）任意に、該非極性物質を減少する、分離する、あるいは不活性化する該廃水処理に添加される１つ以上の化学物質の量を制御すること、を含む、監視することに関与する。
【００２８】
少なくとも１つの実施形態において、方法は、廃水処理において１つ以上の非極性物質のタイプを監視するためのものであって、（ａ）該廃水処理から流体のサンプルを取得すること、（ｂ）該流体中の該非極性物質と相互に作用し、該流体中に光信号を提供することが可能である溶媒和クロマチック色素を選択すること、（ｃ）該色素を該流体に添加し、該色素が該流体中の該非極性物質と相互に作用するために十分な時間を充てること、（ｄ）該流体中の色素の蛍光、吸光度またはスペクトルシフトを測定すること、（ｅ）色素の光応答を該汚染物質の濃度と相互に関連付けること、ならびに（ｆ）任意に、該非極性物質を減少する、分離する、あるいは不活性化する該廃水処理に添加される１つ以上の化学物質の量を制御すること、を含む、監視するためのものである。
【００２９】
少なくとも１つの実施形態において、方法は、廃水処理において１つ以上の非極性汚染物質の量を低下する１つ以上の化学物質の１つ以上のタイプを監視するためのものである。：（ａ）廃水処理において１つ以上の汚染物質のタイプを監視することであって、該廃水処理から流体のバルクサンプルを取得することと、該流体中の該汚染物質と相互に作用し、該流体中に光信号を提供することが可能である溶媒和クロマチック色素を選択することと、該色素を該流体に添加し、該色素が該流体中の該汚染物質と相互に作用するために十分な時間を充てることと、該流体中の色素の蛍光、吸光度またはスペクトルシフトを測定することと、色素の応答を該汚染物質の濃度と相互に関連付けることと、を含む、監視すること、（ｂ）該廃水処理において該非極性汚染物質の量を低下する１つ以上の化学物質を該廃水処理に添加すること、（ｃ）少なくともさらに１回以上ステップ（ａ）を実行することによって、該廃水処理における汚染物質の量を再度測定すること、ならびに（ｄ）任意に、該廃水処理に添加される該化学物質の量を制御すること。
【００３０】
本技術は、断続的にサンプルが処理から取得されて測定されるバッチ方法、または溶媒和クロマチック色素で処置される副流において測定が行われる連続的な方法において使用できることに留意することが重要である。
【００３１】
少なくとも１つの実施形態において、サンプルに添加される色素は、非極性汚染物質を着色する、あるいは相互に作用することができ、例えば、油、グリース、脂肪、界面活性剤である。
【００３２】
少なくとも１つの実施形態において、流体の濁度もまた測定される。さらなる実施形態において、該流体の濁度は、該化学物質の添加前および添加後に測定される。別の実施形態において、サンプルは、廃水処理から離れて低濃度サンプルポイントから取得され、例えば、除濁装置の流出液である。さらなる実施形態において、サンプルポイントは、除濁装置の流入液である。この収集物／サンプルポイントに対して仮定される推論は、浄化／分離ステップの実施を、流入液または流出液中の非極性汚染物質の濃度を測定することによって監視することができることである。
【００３３】
少なくとも１つの実施形態において、サンプルに添加される色素は、その蛍光測定の前に、流体中の汚染物質と相互に作用するための十分な時間を有する。当業者は、過度の実験を伴わずに、該相互作用に対する十分な時間を判断することができる。
【００３４】
一実施形態において、色素は、該流体へのその添加の前に溶媒と混合される。当業者は、過度の実験を伴わずに、混合に対する適切な時間を判断することができる。
【００３５】
別の実施形態において、非極性汚染物質は、油、グリース、石油系非極性炭化水素、両親媒性物質、脂肪、脂肪酸、芳香油、界面活性剤、ポリマー、およびそれらの組み合わせから成る群から選択される。
【００３６】
別の実施形態において、方法は、オンライン方法および／またはバッチサンプル方法である。
【００３７】
別の実施形態において、光学測定（吸光度、蛍光）は、予め設定されたベースで、間欠性のベースで、および／または連続性のベースで実施される。例えば、該非極性汚染物質の蛍光または吸光度を測定する手段としてフローセルを使用することができる。より具体的には、一実施形態において、測定の処理は、該フローセル中のその光学測定の前に、１つ以上の光トレーサーを廃水処理から得られたサンプルへ添加することを含む。当業者は、過度の実験を伴わずに、この処理を行うことができる。例えば、先述の測定プロトコルを行うために、フローインジェクション分析および／またはシーケンスインジェクション分析技術を利用することもできる。
【００３８】
別の実施形態において、光学測定は、携帯型分光計を用いて実施される。光学測定は、他のタイプの蛍光光度計または吸光度分光計を用いて行われてもよい。
【００３９】
本発明はまた、廃水処理からの非極性物質を分離する１つ以上の化学物質の有効性を測定する方法を提供する。流体中の非極性汚染物質の量の情報は、非極性汚染物質の量を制御するために使用することができる１つ以上の化学物質の添加のための制御ループを形成するために利用されてもよい。
一実施形態において、非極性汚染物質を監視するための手法は、上述の蛍光、吸光度、またはスペクトルシフト手法およびその様々な実施形態によって、測定されることができる。
【００４０】
別の実施形態において、非極性汚染物質の量の決定は、前述のプロトコルによって測定され、次いで、このステップに続いて、汚染物質を処置するための廃水処理への１つ以上の化学物質の添加、例えば、汚染物質分離に対する同じ化学的性質が上昇する／低下する、または汚染物質分離に対して化学処置プログラムが変化する、さらに次いで処置ステップに続いて、前述のプロトコルにより、該廃水処理中の汚染物質の量が再測定される。
【００４１】
別の実施形態において、化学物質は、凝固剤、凝集剤、分散剤、酸、無機物、抗乳化剤、および界面活性剤のうちの少なくとも１つである。
【００４２】
本発明は、多くの異なる形態において具現化されてもよいが、本発明の具体的な好ましい実施形態が本明細書において詳細に説明される。本開示は、本発明の原理の例示であり、例解される特定の実施形態に本発明を制限することを意図しない。本明細書で言及されるすべての特許、特許出願、科学論文、および任意の他の参照される資料は、それらの全体として参照することにより組み込まれる。さらに、本発明は、本明細書に説明される、および本明細書に組み込まれる様々な実施形態の一部またはすべてのいずれの可能な組み合わせも包含し、それらの様々な説明される、および／または組み込まれる実施形態の１つ以上の排除を伴う、あるいは伴わない。
【００４３】
上記の開示は、例解的なものであることを意図し、包括的なものであることは意図しない。本説明は、当業者に多くの改変および代替を提唱するであろう。すべてのこれらの代替および改変は、特許請求の範囲内に含まれることが意図され、「含む（ｃｏｍｐｒｉｓｉｎｇ）」という用語は、「〜を含むが、これに限定されない（ｉｎｃｌｕｄｉｎｇ，ｂｕｔ  ｎｏｔ  ｌｉｍｉｔｅｄ  ｔｏ）」を意味する。当該技術分野に精通するものは、本明細書に説明される具体的な実施形態に対する他の同等物を認識し得、同等物もまた、特許請求の範囲によって包含されることが意図される。
【００４４】
本明細書に開示されるすべての範囲およびパラメータは、その中に含まれる任意のおよびすべての部分範囲、ならびに端点間のすべての数を包含すると理解される。例えば、「１から１０」の所定の範囲は、１という最小値と、１０という最大値との間の（およびその境界値を含む）任意のおよびすべての部分範囲、すなわち、１以上の最小値（例えば、１から６．１）から始まり、１０以下という最大値で終わる、すべての部分範囲（例えば、２．３から９．４、３から８、４から７）から、最終的には、範囲内に含有される１、２、３、４、５、６、７、８、９、および１０という各数までを含むと見なされるべきである。
【００４５】
これで、本発明の好ましい、および代替的な実施形態の説明を終了する。当業者は、本明細書に説明される具体的な実施形態に対する他の同等物を認識し得、同等物は、本明細書に添付される請求項によって包含されることが意図される。
【国際調査報告】
2014526709.tif 000002
2014526709.tif 000003